(57)【要約】【課題】被監視者が宅外での行動時に異常事態が発生した場合、監視者に対してそのことを通報する手段を提供する。【解決手段】携帯型通信機１１は設定された時間を測定するタイマ手段１２と、タイマ手段１２により設定された時間が満了したときにサーバ４に対して時間満了の情報をネットワーク手段６を介して送信する時間満了報知手段１６と、サーバ４は時間満了報知手段１６から受信した情報に基づいて情報端末５に対してアラーム情報を発信するアラーム情報発信手段１７とを設けたことにより、被監視者が外出時にたとえば帰宅時刻を想定してタイマ手段１２を起動させておいた後、予定通り帰宅できないような事態が起こり、解除操作がおこなわれないままタイマ手段１２による測定時間が満了すると、その情報がサーバ４に送信された後、監視者の持つ情報端末５にアラーム情報が送信される。【選択図】  図１
2004272330.tif 000002
【特許請求の範囲】
【請求項１】
通信ネットワーク手段を介して接続された携帯型通信機とサーバと少なくとも一つの情報端末機とから構成され、前記携帯型通信機は設定された時間を測定するタイマ手段と、被監視者の操作により時間測定を開始する時間測定開始手段と、被監視者の操作により時間測定を解除する時間測定解除手段と、測定時間満了前に時間測定解除手段が操作されずに前記タイマ手段により設定された時間が満了したときに前記サーバに対して時間満了の情報を前記ネットワーク手段を介して送信する時間満了報知手段とを設け、前記サーバは前記時間満了報知手段から受信した情報に基づいて前記ネットワーク手段を介して接続された前記情報端末に対してアラーム情報を発信するアラーム情報発信手段とを設けてなる異常事態通報装置。
【請求項２】
通信ネットワーク手段を介して接続された携帯型通信機とサーバと少なくとも一つの情報端末機とから構成され、前記サーバは設定された時間を測定するタイマ手段とを設け、前記携帯型通信機は被監視者の操作により前記タイマ手段の時間測定を開始するための情報を前記ネットワーク手段を介して前記サーバに送信する時間測定開始手段と、同様に被監視者の操作により時間測定を解除する時間測定解除手段とを設け、前記サーバは測定時間満了前に前記時間測定解除手段からの情報を受信せずに前記タイマ手段により設定された時間が満了したときに前記ネットワーク手段を介して接続された前記情報端末に対してアラーム情報を発信するアラーム情報発信手段とを設けてなる異常事態通報装置。
【請求項３】
携帯型通信機は、携帯電話または携帯情報端末である請求項１〜２記載のいずれか一項記載の異常事態通報装置。
【請求項４】
携帯型通信機は、住宅のセキュリティ装置において外出する際に警戒動作を開始させ、帰宅時に警戒動作を解除する携帯型警戒動作開始解除装置である請求項１〜２記載のいずれか一項記載の異常事態通報装置。
【請求項５】
請求項１〜５のいずれか一項記載の異常事態通報装置の少なくとも一部をコンピュータに実行させるプログラム。
【発明の詳細な説明】
【０００１】
【発明の属する技術分野】
本発明は、被監視者の外出行動時に異常が生じたことを監視者に伝達する異常事態通報装置に関するものである。
【０００２】
【従来の技術】
従来のこの種の異常事態通報装置としては、例えば図４のような健康管理支援装置がある（例えば、特許文献１参照）。
【０００３】
図４において、宅内で使用され、被監視者が使用する状況を記録して送信する機能を設けた電気機器１と、この電気機器１には、時計手段２を設けて被監視者が使用した時刻を記録する使用時刻記録手段３と、この使用時刻記録手段３からの情報を受信するサーバ４と、監視者が持つ情報端末機としての携帯電話５と、それらを結ぶネットワーク手段６とで構成される。
【０００４】
この構成において、電気機器１は、被監視者による使用状況としてその使用された時刻を時計手段２の出力から得て使用時刻記録手段３に記録し、定期的にネットワーク手段６を介してサーバ４にその情報を送信する。さらにサーバ４は、監視者の携帯電話３にその情報を提供することにより、監視者が被監視者の状況を知ることができる。
【０００５】
【特許文献１】
特開２００２−７８０３４号公報
【０００６】
【発明が解決しようとする課題】
しかしながら上記従来の構成は、宅内での行動において被監視者に異常が発生していないかどうかを監視者に対して知らせることはできるが、被監視者が外出しているときには安否が不明になってしまうという課題があった。
【０００７】
本発明は、上記従来の課題を解決するもので、被監視者が宅外での行動時に異常事態が発生した場合、監視者に対してそのことを通報する手段を提供することを目的とする。
【０００８】
【課題を解決するための手段】
本発明は上記課題を解決するため、通信ネットワーク手段を介して接続された携帯型通信機とサーバと少なくとも一つの情報端末機とから構成され、前記携帯型通信機は設定された時間を測定するタイマ手段と、被監視者の操作により時間測定を開始する時間測定開始手段と、被監視者の操作により時間測定を解除する時間測定解除手段と、測定時間満了前に時間測定解除手段が操作されずに前記タイマ手段により設定された時間が満了したときに前記サーバに対して時間満了の情報を前記ネットワーク手段を介して送信する時間満了報知手段と、前記サーバは前記時間満了報知手段から受信した情報に基づいて前記ネットワーク手段を介して接続された前記情報端末に対してアラーム情報を発信するアラーム情報発信手段とを設けたことにより、被監視者が外出時にたとえば帰宅時刻を想定してタイマ手段を起動させ、帰宅時においてその測定時間が満了する前に解除操作をすれば何もなされないが、予定通り帰宅できないような事態が起こり、解除操作がおこなわれないままタイマ手段による測定時間が満了すると、その情報がサーバに送信された後、監視者の持つ情報端末にアラーム情報が送信される。
【０００９】
【発明の実施の形態】
請求項１に記載の発明は、通信ネットワーク手段を介して接続された携帯型通信機とサーバと少なくとも一つの情報端末機とから構成され、前記携帯型通信機は設定された時間を測定するタイマ手段と、被監視者の操作により時間測定を開始する時間測定開始手段と、被監視者の操作により時間測定を解除する時間測定解除手段と、測定時間満了前に時間測定解除手段が操作されずに前記タイマ手段により設定された時間が満了したときに前記サーバに対して時間満了の情報を前記ネットワーク手段を介して送信する時間満了報知手段とを設け、前記サーバは前記時間満了報知手段から受信した情報に基づいて前記ネットワーク手段を介して接続された前記情報端末に対してアラーム情報を発信するアラーム情報発信手段とから構成することにより、被監視者が外出時にたとえば帰宅時刻を想定してタイマ手段を起動させ、帰宅時においてその測定時間が満了する前に解除操作をすれば何もなされないが、予定通り帰宅できないような事態が起こり、解除操作がおこなわれないままタイマ手段による測定時間が満了すると、その情報がサーバに送信された後、監視者の持つ情報端末にアラーム情報が送信されるので、被監視者が監視者に連絡したくてもできないような状況に陥っている場合、自動的に監視者が異常事態を知ることができ、事故等を未然に防ぐ支援が可能となる。
【００１０】
請求項２に記載の発明は、通信ネットワーク手段を介して接続された携帯型通信機とサーバと少なくとも一つの情報端末機とから構成され、前記サーバは設定された時間を測定するタイマ手段とを設け、前記携帯型通信機は被監視者の操作により前記タイマ手段の時間測定を開始するための情報を前記ネットワーク手段を介して前記サーバに送信する時間測定開始手段と、同様に被監視者の操作により時間測定を解除する時間測定解除手段とを設け、前記サーバは測定時間満了前に前記時間測定解除手段からの情報を受信せずに前記タイマ手段により設定された時間が満了したときに前記ネットワーク手段を介して接続された前記情報端末に対してアラーム情報を発信するアラーム情報発信手段とから構成することにより、被監視者が外出時にたとえば帰宅時刻を想定して携帯型通信機からサーバのタイマ手段を起動させ、帰宅時においてその測定時間が満了する前に解除操作をすれば何もなされないが、予定通り帰宅できないような事態が起こり、解除操作がおこなわれないままタイマ手段による測定時間が満了すると、監視者の持つ情報端末にサーバからアラーム情報が送信されるので、被監視者が監視者に連絡したくてもできないような状況に陥っている場合、自動的に監視者が異常事態を知ることができ、事故等を未然に防ぐ支援が可能となる。また、この構成の場合、携帯型の通信機が何らかの理由で破損したり、紛失した場合でもサーバで時間測定をしているので、請求項１の構成よりも安全性が高いという効果もある。
【００１１】
請求項３に記載の発明は、携帯型通信機は、携帯電話または携帯情報端末とすることにより、被監視者が日頃持ち歩いて利用することに慣れた機器を使用することで、機器操作への心理的ストレスを軽減できる。被監視者が日頃持ち歩いて利用することに慣れた機器を使用することで、機器操作への心理的ストレスを軽減できるとともに、携帯情報端末特有の個人のスケジュール管理などとも連携し、監視すべき時間を推定して被監視者にその旨を伝えるというような機能を提供できたり、逆に異常事態通報の目的に絞った機器とすることも容易になるなど、被監視者に提供できる機能に柔軟性が高いという効果がある。
【００１２】
請求項４に記載の発明は、携帯型通信機は、住宅のセキュリティ装置において外出する際に警戒動作を開始させ、帰宅時に警戒動作を解除する携帯型警戒動作開始解除装置とすることにより、外出時におこなうセキュリティ機器の動作開始および帰宅時のセキュリティ動作解除と連動させることができるので、自然な使い勝手を実現することが可能になる。
【００１３】
請求項５に記載の発明は、請求項１〜４のいずれか１項記載の異常事態通報装置の少なくとも一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００１４】
【実施例】
以下、本発明の実施例について図面を参照しながら説明する。
【００１５】
（実施例１）
図１は本発明の第一の実施例の構成を示す図である。
【００１６】
携帯型通信機としての被監視者用携帯電話１１と、タイマ手段１２と、タイマの測定時間を設定する測定時間設定手段１３と、タイマ手段１２による時間測定を開始させる時間測定開始手段１４と、時間測定中のタイマ動作を解除する時間測定解除手段１５と、タイマ手段１２による測定時間が満了したときに通信ネットワーク手段６を介してサーバ４に時間満了の報知をおこなう時間満了報知手段１６と、サーバ４と、サーバ４に設けられたアラーム情報発信手段１７と、サーバ４から通信ネットワーク手段６を介してアラーム情報を受信する情報端末機としての監視者用携帯電話５とから構成される。
【００１７】
以上の構成において動作を説明する。
【００１８】
たとえば被監視者が外出しようとするとき、帰宅までの時間を想定して被監視者用携帯電話１１の測定時間設定手段１３により、それ以上長時間が過ぎれば監視者に連絡が行くようにしてほしい時間を決めて設定する。そして、時間測定開始手段１４の表示ボタンを操作して、時間測定を開始する。図２に被監視者用携帯電話１１の表示画面を示すが、時間設定は被監視者用携帯電話１１のキーボードで数字を入れたりプルダウンメニューから選択する。なお、設定する動作と時間測定の開始は同じでもかまわないし、設定する時間は過去に設定されてあるものが記憶されていれば呼び出して使ってもよい。
【００１９】
このようにして時間測定が開始されるが、被監視者が予定通り無事に帰宅して設定された測定時間が満了する前に自分で解除ボタンを操作すれば、タイマ手段１２による時間測定は中止されて動作は終了する。
【００２０】
予定外のことが起こるなどして被監視者によって解除ボタンが操作されないまま設定された測定時間が満了すると、時間満了報知手段１６が通信ネットワーク手段６を介してサーバ４にその情報を報知する。サーバ４では、これに基づいてアラーム情報発信手段１７により、監視者用携帯電話５に対し、被監視者に異常事態が起こっている可能性がある旨を発信する。
【００２１】
このように、本実施例では、被監視者用携帯電話１１のタイマ手段１２により、たとえば外出時間や帰宅するまでの時間として設定された時間を測定し、それが満了したことを異常事態が発生した可能性として判断し、その情報を受けたサーバ４が監視者用携帯電話５に通報するので、日頃使っている被監視者用携帯電話５を用いて簡便な操作で監視者、被監視者ともに安心できるサービスを提供することができる。
【００２２】
また、この構成においては、被監視者は監視者に知らせてもらいたいかどうかは自分の意志で決めることができるので、常に監視されているという心理的なストレスがないという効果もある。
【００２３】
なお、本実施例では携帯型通信機として携帯電話を用いたが、代わりに携帯情報端末を用いることによって、携帯情報端末特有の個人のスケジュール管理などとも連携し、多くの機能を提供できたり、逆に異常事態通報の目的に絞った機器とすることも容易になるなど、被監視者に提供できる機能に柔軟性が高いという効果が得られる。
【００２４】
また、携帯型通信機として住宅のセキュリティ装置において外出する際に警戒動作を開始させ、帰宅時に警戒動作を解除する携帯型警戒動作開始解除装置を用いてもよく、その場合には外出時におこなうセキュリティ機器の動作開始および帰宅時のセキュリティ動作解除と連動させることができるので、自然な使い勝手を実現することが可能になる。
【００２５】
さらに、本実施例では、監視者用携帯電話５は１台の場合を示したが、複数台あってもよく、また、携帯電話ではなく、固定電話やパーソナルコンピュータでもよい。また、それらの混在でもかまわない。
【００２６】
（実施例２）
図３は、本発明の第二の実施例の構成を示す図である。
【００２７】
第一の実施例と異なる点は、タイマ手段１２をサーバ４に設け、その動作のために、被監視者用携帯電話１１の測定時間設定手段１３で設定される測定時間と、タイマ手段１２の時間測定の開始および解除の情報を通信ネットワーク手段６を介してサーバ４に通信する点である。
【００２８】
以上の構成における動作として、被監視者が監視者用携帯電話１１を用いておこなう操作そのものは第一の実施例と同じである。ただし、各測定時間設定、時間測定開始並びに解除の各動作の際に、ネットワーク手段を介してサーバ４と逐次通信するところが異なる。すなわち、被監視者が被監視者用携帯電話１１でおこなった操作の情報はサーバ４のアラーム情報発信手段１７で管理され、サーバ４のタイマ手段１２により、監視者用携帯電話５にアラーム情報を発信するかどうかの判断がなされる。
【００２９】
したがって、効果は第一との実施例と同様であるが、加えて、この構成の場合には、タイマ手段１２により時間測定がおこなわれている最中に、被験者用携帯電話１１が何らかの理由で破損したり、紛失した場合でもサーバで時間測定をしているので、異常事態が発生したときへの対応性能は高いという効果がある。
【００３０】
【発明の効果】
以上のように、本発明によれば、通信ネットワーク手段を介して接続された携帯型通信機とサーバと少なくとも一つの情報端末機とから構成され、前記携帯型通信機は設定された時間を測定するタイマ手段と、被監視者の操作により時間測定を開始する時間測定開始手段と、被監視者の操作により時間測定を解除する時間測定解除手段と、測定時間満了前に時間測定解除手段が操作されずに前記タイマ手段により設定された時間が満了したときに前記サーバに対して時間満了の情報を前記ネットワーク手段を介して送信する時間満了報知手段とを設け、前記サーバは前記時間満了報知手段から受信した情報に基づいて前記ネットワーク手段を介して接続された前記情報端末に対してアラーム情報を発信するアラーム情報発信手段とを設けたことにより、被監視者が外出時にたとえば帰宅時刻を想定してタイマ手段を起動させ、帰宅時においてその測定時間が満了する前に解除操作をすれば何もなされないが、予定通り帰宅できないような事態が起こり、解除操作がおこなわれないままタイマ手段による測定時間が満了すると、その情報がサーバに送信された後、監視者の持つ情報端末にアラーム情報が送信されるので、被監視者が監視者に連絡したくてもできないような状況に陥っている場合、自動的に監視者が異常事態を知ることができ、事故等を未然に防ぐ支援が可能となるという、実用上、顕著な効果が得られる。
【図面の簡単な説明】
【図１】本発明の実施例１における異常事態通報装置の構成図
【図２】同携帯型通信機としての被監視者用携帯電話の表示画面を示した図
【図３】本発明の実施例２における異常事態通報装置の構成図
【図４】従来の異常事態通報装置の構成図
【符号の説明】
４  サーバ
５  情報端末機としての監視者用携帯電話
１１  携帯型通信機としての被監視者用携帯電話
１２  タイマ手段
１３  測定時間設定手段
１４  時間測定開始手段
１５  時間測定解除手段
１６  時間満了報知手段
１７  アラーム情報発信手段
【図１】
2004272330.tif 000003
【図２】
2004272330.tif 000004
【図３】
2004272330.tif 000005
【図４】
2004272330.tif 000006